(57)【要約】【課題】  デジタルカメラを支持するアームの構成を変えることで、載置台に原稿を載置するときの作業性を向上させることができ、また、この載置台に載置する原稿の厚さや形状に関係なく平坦な状態で撮像する。【解決手段】  画像入力する原稿ｍを載置するための原稿載置台１と、原稿載置台１から上方に向けてアーム２を立設し、その上部でデジタルカメラ３をその撮像方向が原稿載置台１の中心方向に向くように支持する支持アーム４と、支持アーム４の上部に、照射方向が原稿載置台１の中心に向くように取り付けた照明装置５と、を備えた。【選択図】  図１
2005039866.tif 000002
【特許請求の範囲】
【請求項１】
画像入力する原稿（ｍ）を載置するための原稿載置台（１）と、
該原稿載置台（１）から上方に向けてアーム（２）を立設し、その上部でデジタルカメラ（３）をその撮像方向が該原稿載置台（１）の中心方向に向くように支持する支持アーム（４）と、
該支持アーム（４）の上部に、照射方向が前記原稿載置台（１）の中心に向くように取り付けた照明装置（５）と、を備えた、ことを特徴とする書籍用スキャナー。
【請求項２】
前記原稿載置台（１）に、前記支持アーム（４）とデジタルカメラ（３）とを着脱自在に装着し得るように構成した、ことを特徴とする請求項１の書籍用スキャナー。
【請求項３】
前記原稿載置台（１）は、
原稿（ｍ）を載置する原稿載置本体（７）と、
前記原稿載置本体（７）の他端側において揺動自在に支持され、該原稿載置本体（７）に載置された原稿（ｍ）を押圧保持する透明状圧板（８）と、
前記原稿載置本体（７）内において、２枚の板部材（１６）をシーソー状に上下させる平行リンク（１７）に連結して成る原稿載置板（１８）と、を備えたものである、ことを特徴とする請求項１又は２の書籍用スキャナー。
【請求項４】
前記各板部材（１６）に、補助板（１９）を出没自在に設けた、ことを特徴とする請求項３の書籍用スキャナー。
【請求項５】
前記原稿載置板（１８）に、２枚の板部材（１６）を連結固定する固定部材を更に備えた、ことを特徴とする請求項３の書籍用スキャナー。
【請求項６】
前記原稿載置板（１８）の高さを調節する高さ調節機構（２０）を、更に備えた、ことを特徴とする請求項３の書籍用スキャナー。
【請求項７】
前記支持アーム（４）は、
略四角形状の原稿載置台（１）の１辺の両端から上方に向けて２本のアーム（２）を袴状に立設し、その上部に水平アーム（２）を掛け渡し、その中間に更に上方へ向けて、前記デジタルカメラ（３）を支持するアーム（２）を突出させたものである、ことを特徴とする請求項１又は２の書籍用スキャナー。
【請求項８】
前記照明装置（５）は、
略四角形状の原稿載置台（１）の１辺の両端から上方に向けて２本のアーム（２）を袴線状に立設した水平状のアーム（２）に近接して灯具（１２）を配置したものである、ことを特徴とする請求項１の書籍用スキャナー。
【発明の詳細な説明】
【技術分野】
【０００１】
本発明は、古文書、貴重図書等の書籍原稿、契約書又は附表貼り書類、厚紙等の文献をデジタルカメラで撮像する書籍用スキャナーに関するものである。
【背景技術】
【０００２】
従来より、図６と図７に示すように、書籍等の文献データを撮像する原稿Ｍを載置する載置台５１と、この載置台５１に連結されている垂直アーム５２と、この垂直アーム５２に取り付けられた水平アーム５３と、この水平アーム５３に載置台５１上の原稿Ｍの画像を撮像するカメラ５４を取り付けた画像入力装置が提案されている。
【０００３】
この従来の画像入力装置の載置台５１は、平面的な原稿Ｍの撮像には適しているが、分厚い書籍を撮影することは困難であった。そこで、分厚い文献等の撮影、即ち立体的な商品を連続して撮影する技術が提案されている。例えば、特許文献１の特開２０００−１６２６７３号公報「撮影装置」のように、撮影対象を収容するケースと、ケース外から撮影対象を撮影するカメラと、このカメラを前記撮影対象の位置に合わせて移動させる移動手段と、を備えた撮影装置であって、撮影対象の上面の像をカメラの撮像面に対して投影する鏡と、撮影対象を昇降移動させる昇降手段と、この昇降手段によって前記撮影対象が移動され、撮影対象が前記鏡に所定の距離以内に接近したことを検知する検知手段と、を備えることを特徴とする撮影装置が提案されている。
【特許文献１】特開２０００−１６２６７３号公報
【発明の開示】
【発明が解決しようとする課題】
【０００４】
しかし、上記従来の垂直アーム５２と水平アーム５３とからなる画像入力装置では、載置台５１が平坦であるために、分厚い原稿Ｍの撮影に不向きなだけでなく、古文書、貴重図書等の貴重な書籍原稿Ｍを損傷するという問題を有していた。また、載置台５１の一辺の中間位置に垂直アーム５２を立設した構成の画像入力装置では、図６に示すように、この垂直アーム５２が邪魔になって、画像入力装置の前に立って撮像する作業者は、この画像入力装置に対して原稿Ｍを常に横方向のみの移動作業に限定されていた。例えば、縦書き巻物のような原稿Ｍでは、従来の画像入力装置に対して原稿を前後に移動させる作業ができないという問題を有していた。
【０００５】
また、特許文献１の撮影装置では、立体的なものを撮影することができるだけで、分厚い文献を見開きにしてその表面を平坦にして撮影することができなかった。また、撮影装置自体が大掛かりなものであるために、容易に可搬することができないという問題を有していた。
【０００６】
本発明は、かかる問題点を解決するために創案されたものである。すなわち、本発明の目的は、デジタルカメラを支持するアームの構成を変えることで、載置台に原稿を載置するときの作業性を向上させることができ、また、この載置台に載置する原稿の厚さや形状に関係なく平坦な状態で撮像することができる書籍用スキャナーを提供することにある。
【課題を解決するための手段】
【０００７】
本発明によれば、画像入力する原稿（ｍ）を載置するための原稿載置台（１）と、該原稿載置台（１）から上方に向けてアーム（２）を立設し、その上部でデジタルカメラ（３）をその撮像方向が該原稿載置台（１）の中心方向に向くように支持する支持アーム（４）と、該支持アーム（４）の上部に、照射方向が前記原稿載置台（１）の中心に向くように取り付けた照明装置（５）と、を備えた、ことを特徴とする書籍用スキャナーが提供される。
原稿載置台（１）に、前記支持アーム（４）とデジタルカメラ（３）とを着脱自在に装着し得るように構成する。
【０００８】
原稿載置台（１）は、原稿（ｍ）を載置する原稿載置本体（７）と、前記原稿載置本体（７）の他端側に揺動自在に支持し、該原稿載置本体（７）に載置された原稿（ｍ）を押圧保持する透明状圧板（８）と、前記原稿載置本体（７）内において、２枚の板部材（１６）をシーソー状に上下させる平行リンク（１７）に連結して成る原稿載置板（１８）と、を備えたものである。
各板部材（１６）に、補助板（１９）を出没自在に設けることが好ましい。
原稿載置板（１８）に、２枚の板部材（１６）を連結固定する固定部材（１６）を更に備えることができる。
原稿載置板（１８）の高さを調節する高さ調節機構（２０）を更に備えることが好ましい。
【０００９】
支持アーム（４）は、略四角形状の原稿載置台（１）の１辺の両端から上方に向けて２本のアーム（２）を袴状に立設し、その上部に水平アーム（２）を掛け渡し、その中間に更に上方へ向けて、前記デジタルカメラ（３）を支持するアーム（２）を突出させたものである。
【００１０】
照明装置（５）は、略四角形状の原稿載置台（１）の１辺の両端から上方に向けて２本のアーム（２）を袴線状に立設した水平状のアーム（２）に近接して灯具（１２）を配置したものである。
【発明の効果】
【００１１】
本発明では、原稿載置台（１）は、原稿（ｍ）を載置する原稿載置本体（７）と、原稿載置本体（７）の他端側に揺動自在に支持し、原稿載置本体（７）に載置された原稿（ｍ）を押圧保持する透明状圧板（８）と、原稿載置本体（７）内において、２枚の板部材（１６）をシーソー状に上下させる平行リンク（１７）に連結して成る原稿載置板（１８）と、を備えているので、原稿（ｍ）の背厚が７ｃｍ程度の分厚い書籍であっても平坦な見開きの状態にして撮像することができる。特に、書籍の左右の厚さの違いによる高さ調整とし、シーソー式に左右の原稿載置板（１８）が本の厚みに応じて上下し、左右の高さのバランスが取れるので撮像面を平坦な状態にすることができる。
【００１２】
支持アーム（４）は、略四角形状の原稿載置台（１）の１辺の両端から上方に向けて２本のアーム（２）を袴状になるように立設し、その上部に水平アーム（２）を掛け渡し、その中間に更に上方へ向けてアーム（２）を突出させ、そのアーム（２）の上部でデジタルカメラ（３）を支持したものでは、本発明のスキャナーの前に立って撮像する作業者は、従来のように原稿（ｍ）を常に横方向に移動させる作業に限定されず、縦書き巻物の原稿（ｍ）では、スキャナーに対して原稿（ｍ）を、支持アーム（４）のアーム（２）の間から前後に移動させる作業が可能になる。そこで、附表貼り書類や巻物のような原稿（ｍ）でも容易に撮像することができる。これによりＡ３横幅の大判原稿及び巻物等の長尺原稿（ｍ）なども支柱に邪魔されず、原稿（ｍ）を傷めることなく、安心して原稿（ｍ）を撮像することができる。
【００１３】
照明装置（５）が略四角形状の原稿載置台（１）の１辺の両端から上方に向けて２本のアーム（２）を袴状に立設した水平状のアーム（２）に近接して灯具（１２）を配置したものでは、原稿載置台（１）の透明状圧板（８）に照射光が写らないので、高精細な撮像が可能になる。
【発明を実施するための最良の形態】
【００１４】
本発明の書籍用スキャナーは、画像入力する原稿を載置するための原稿載置台と、原稿載置台から上方に向けてアームを立設し、その上部でデジタルカメラをその撮像方向がこの原稿載置台の中心に下方に向くように支持する支持アームと、この支持アームの上部に、照射方向が原稿載置台の中心に向くように取り付けた照明装置とを備えたものである。このデジタルカメラで取り込んだ原稿の電子データは、パソコンで自動的にサイズを切り出し、又は傾きを補正して保存する。また、カラープリンタに接続すればブックコピーとして利用することができる。
【実施例１】
【００１５】
以下、本発明の好ましい実施の形態を図面を参照して説明する。
図１は本発明の書籍用スキャナーを示す一部切欠いた側面図である。図２は書籍用スキャナーを示す正面図である。図３は原稿載置台の平面図である。
本発明の書籍用スキャナーは、画像入力する原稿を載置するための原稿載置台１と、原稿載置台１から上方に向けてアーム２を立設し、その上部でデジタルカメラ３をその撮像方向が原稿載置台１の中心に下方に向くように支持する支持アーム４と、支持アーム４の上部に、照射方向が原稿載置台１の中心に向くように取り付けた照明装置５と、を備えたものである。
【００１６】
支持アーム４は、原稿載置台１に対して着脱自在に装着し得るように構成した。貴重な文献等は、それを持ち出すことができない場合が多い。本発明の書籍用スキャナーは、これを原稿ｍの保管場所へ運搬し、その場所で撮像することができる。そこで、本発明の書籍用スキャナー自体の持ち運びの利便性を考慮して、支持アーム４が着脱可能となっている。例えば、原稿載置台１に開けた凹部に、支持アーム４を構成する各アーム２の下端部を挿抜自在に差し込み得るようになっている。この支持アーム４（アーム２）と原稿載置台１との着脱機構はこの手段には限定されない。更に、この支持アーム４は、個々のアーム２についても分解組み立てが可能に構成してある。なお、据置型のスキャナーであれば、支持アーム４と原稿載置台１とを着脱可能に構成する必要はない。
【００１７】
同様に、デジタルカメラ３も、支持アーム４に対して着脱自在に装着し得るように構成した。これは、単に本発明の書籍用スキャナーを分解して運搬できるだけでなく、撮像する文献の種類に応じて性能の異なるデジタルカメラ３を交換できるようにするためである。このデジタルカメラ３は、例えば高精彩１２００万画素のデジタルカメラを使用することで、高精彩の画像を取り込むことができる。図示例では、デジタルカメラ３をカメラケース６内に装着し、デジタルカメラ３を保護すると共に、上下動させて撮像角度の微調整が図れるようになっている。
【００１８】
また、このデジタルカメラ３は、例えばＡ３画角をより低い位置で捕捉するように構成することで、本発明の書籍用スキャナーをコンパクトな構成とすることができる。即ち、高精彩、広角対応の専用レンズを用いることで、支持アーム４の高さを抑えることができ、コンパクトな書籍用スキャナーにすることができる。
【００１９】
本発明の支持アーム４は、図２に示すように、略四角形状の原稿載置台１の１辺の両端から上方に向けて２本のアーム２を袴状に立設し、その上部に水平アーム２を掛け渡し、その中間に更に上方へ向けたアーム２の先端でデジタルカメラ３を支持するように構成した。即ち、この支持アーム４は、従来のように１本の支持アーム４を、原稿載置台１の１辺の中間部分から立設せず（図６、図７参照）、この支持アーム４を袴状に立設することで、原稿載置台１の四辺をオープンスペースにすることができ、作業性の向上を図ることができる。
【００２０】
このように、略四角形状の原稿載置台１の四方向をオープンスペースにしたので、本発明のスキャナーの前に立って撮像する作業者は、従来のように原稿ｍを常に横方向に移動させる作業に限定されなくなった。例えば、縦書き巻物のような原稿ｍでは、スキャナーに対して原稿ｍを、支持アーム４のアーム２の間から前後に移動させる作業が可能になる。更に、附表貼り書類のような原稿ｍでも容易に撮像することができる。これによりＡ３横幅の大判原稿及び巻物等の長尺原稿ｍなども支持アーム４に邪魔されることなく撮像することができる。しかも、原稿ｍを傷めることなく、安心して撮像することができる。
【００２１】
原稿載置本体７に載置された原稿ｍを押圧保持する透明状圧板８は、原稿載置本体７にフレームに嵌めたガラス板を開閉自在に装着したものである。この透明状圧板８は、書籍の見開きの状態を安定化するため、書籍の上面部をガラスで抑える機構になっている。この透明状圧板８で抑えることによりシートのような薄く皺になりやすい原稿ｍでも安定した状態で撮像することができる。図示例の透明状圧板８は、作業効率を高めるために、ダンパー９で「開」状態と「閉」状態を維持し得るようになっている。また、透明状圧板８の支持部１０に揺動自在になる遊びを持たせて厚い文献の場合に、閉じたときにこの透明状圧板８が水平状態で上方に浮かび上がり、文献Ｍを押さえるガラス圧を均等にして、書籍の押さえが安定するようになっている。この透明状圧板８はハンドル１１を持って開閉する。
【００２２】
照明装置５は、図１に示すように、略四角形状の原稿載置台１の１辺の両端から上方に向けて２本のアーム２を袴状に立設した水平状のアーム２の近接した位置に、蛍光灯などの灯具１２を架け渡し、その背面に反射板１３を配置したものである。更に原稿載置台１への照度を均一化するために遮蔽板１４を配置した。この遮蔽板１４は蛍光灯などの灯具１２の大きさや照度に応じて変形させる。この遮蔽板１４により、原稿載置台１の透明状圧板８に照射光が写らないので、高精細な撮像が可能になる。
【００２３】
古文書、貴重図書等の貴重な書籍原稿Ｍは、紫外線により紙焼けをおこすため、このような貴重な文献は紫外線を避けなければならない。そこで、本発明では、図１に示すように、撮像する際の照明装置５に、紫外線カットフィルター１５の筒の中に灯具１２（蛍光灯）を格納したものを用いた。
【００２４】
図４は原稿載置台の内部構造を示すものであり、（ａ）は分厚い書籍の前段の頁部分を撮像しているときの状態であり、（ｂ）は書籍の中間頁を撮像しているときの状態であり、（ｃ）は書籍の後段の頁部分を撮像しているときの状態である。
原稿載置台１は、原稿ｍを載置する原稿載置本体７と、原稿載置本体７の他端側に揺動自在に支持され、原稿載置本体７に載置された原稿ｍを押圧保持する透明状圧板８と、原稿載置本体７内において、２枚の板部材１６をシーソー状に上下させる平行リンク１７に連結して成る原稿載置板１８と、を備えたものである。この平行リンク１７は、２枚の板部材１６の両側面に軸支され、その中間を軸支したものである。これにより、原稿ｍの背厚が例えば７ｃｍ程度の分厚い書籍であっても平坦な見開きの状態にして撮像することができる。特に、書籍の左右の厚さの違いによる高さ調整とし、シーソー式に左右の原稿載置板１８が書籍の厚みに応じ上下し、左右の高さバランスが取れるようにして、撮像面を平坦な状態にすることができる。
【００２５】
図５は板部材に出没自在に設けた補助板を示す平面図であり、（ａ）は補助板の突出前の状態であり、（ｂ）は補助板の突出後の状態である。
各板部材１６に出没自在になる補助板１９を設けた。例えば、書籍のように背表紙のあるものを撮像するときは、板部材１６内に補助板１９を格納して、両板部材１６の間に隙間が形成されるようにする（図５（ａ））。しかし、１枚のシート状の文献ｍを撮像するときは、この隙間が却って皺の原因になる。そこで、板部材１６から補助板１９を引き出して一枚の板状にする（図５（ｂ））。即ち、原稿載置板１８をフラットの状態にしてシート状の原稿ｍを撮像することができ、作業性の向上を図ることができる。
【００２６】
更に、これらの２枚の板部材１６を連結固定する固定部材（図示していない）を備えることができる。２枚の板部材１６が揺れないのでシート状の原稿ｍを容易に撮像することができる。
【００２７】
原稿載置板１８の高さを調節する高さ調節機構２０を備える。この高さ調節機構２０は、原稿載置板１８と透明状圧板８との間隔を常に適正な距離を維持するものである。この高さ調節機構２０は、例えば平行リンク１７の中間軸支部分を支え、ウオームギヤ状の部材を回転させて上下動させる機構からなるものである。この高さ調節機構２０は、書籍の背の部分の逃し口としセンター部分は書籍の背厚に応じて開閉可能としているので、書籍の上面部分は常に水平に保つことができる。更にシートものを置く場合にはその開閉を閉じることでシートものも安定して原稿ｍを置くことができる。
【００２８】
更に、原稿載置台１の表面は、金属ではなくラバー加工を施し、書籍の滑り止めと書籍の背表紙自体への優しい機構となっている。また、書籍の背の部分の逃し口としセンター部分は本の背厚に応じて開閉が可能としております。これにより書籍の上部部分は常に水平に保つことができる。
【００２９】
上述したように、このデジタルカメラ３で取り込んだ原稿ｍの電子データは、例えばパソコンで自動的にサイズを切り出して保存することができる。対象原稿ｍより一回り大き目のサイズで黒背景でスキャンし、後処理で黒枠を落とし、傾き補正して保存する。従来のように原稿ｍの位置を、補正しながらスキャンする必要が無いので作業効率の向上を図ることができる。
【００３０】
更に、必要に応じてカラー／グレイスケールでスキャンしたデータの２値化、即ち白黒変換することも可能である。オリジナル原稿と対比しながら最適な２値化の設定の調整が可能である。また、本発明の書籍用スキャナーを、カラープリンタに接続してブックコピーとして利用することも可能である。
【００３１】
なお、本発明は上述した発明の実施の形態に限定されず、デジタルカメラを支持するアームの構成を変え、載置台に原稿を載置するときの作業性の向上を図ることができる構成であれば、図示したようなアーム２を袴状に配置した構成に限定されず、本発明の要旨を逸脱しない範囲で種々変更できることは勿論である。
【００３２】
また、原稿載置台に載置する原稿の厚さや形状に関係なく平坦な状態で撮像することができる構成であれば、図示したような原稿載置台１の構造に限定されない。
【産業上の利用可能性】
【００３３】
本発明の書籍用スキャナーは、古文書、貴重図書等の書籍原稿、契約書又は附表貼り書類、厚紙等の文献といったあらゆる文献の撮像に利用することができる。
【図面の簡単な説明】
【００３４】
【図１】本発明の書籍用スキャナーを示す側面図である。
【図２】書籍用スキャナーを示す正面図である。
【図３】原稿載置台の平面図である。
【図４】原稿載置台の内部構造を示すものであり、（ａ）は分厚い書籍の前段の頁部分を撮像しているときの状態であり、（ｂ）は書籍の中間頁を撮像しているときの状態であり、（ｃ）は書籍の後段の頁部分を撮像しているときの状態である。
【図５】板部材に出没自在に設けた補助板を示す平面図であり、（ａ）は補助板の突出前の状態であり、（ｂ）は補助板の突出後の状態である。
【図６】従来の1本の垂直アームからなる画像入力装置の正面図である。
【図７】従来の1本の垂直アームからなる画像入力装置の側面図である。
【符号の説明】
【００３５】
１  原稿載置台
２  アーム
３  デジタルカメラ
４  支持アーム
５  照明装置
７  原稿載置本体
８  透明状圧板
１２  灯具
１６  板部材
１７  平行リンク
１８  原稿載置板
１９  補助板
２０  高さ調節機構
ｍ  原稿
【図１】
2005039866.tif 000003
【図２】
2005039866.tif 000004
【図３】
2005039866.tif 000005
【図４】
2005039866.tif 000006
【図５】
2005039866.tif 000007
【図６】
2005039866.tif 000008
【図７】
2005039866.tif 000009